(57)【要約】【課題】サイフォン排水管の詰まりを防止できるサイフォン排水システム用の貯留槽を提供する。【解決手段】サイフォン排水管２８と水回り器具に接続された排水導入管１８との間に設ける貯留槽２０において、排水中の異物がサイフォン排水管２８に流入しないように、異物を除去するフィルター３６を槽に設ける。【選択図】図４
2009275438.tif 000002
【特許請求の範囲】
【請求項１】
水廻り機器からの排水を流入させる流入部と、
前記排水を一時的に貯留可能な貯留部と、
サイフォン排水管に接続され、前記貯留部に一時的に貯留した排水を槽外へ排出するための排出部と、
前記サイフォン排水管の上流側に設けられ、排水中の異物を捕捉する異物捕集部材と、
を有する貯留槽。
【請求項２】
前記排水を一時的に貯留する貯留部が、仕切壁によって複数の個別貯留部に区画され、
前記複数の個別貯留部は、前記流入部、及び前記排出部を備えた第１の個別貯留部と、  前記流入部を備えず前記排出部を備えた第２の個別貯留部と、を有し、
前記第１の個別貯留部をオーバーフローした排水は、前記仕切壁を超えて前記第２の個別貯留部に流入する請求項１に記載の貯留槽。
【請求項３】
前記異物捕捉部材は、前記仕切り部材の上部に設けられている請求項２に記載の貯留槽。
【請求項４】
前記異物捕捉部材は、前記流入部に設けられている請求項１〜請求項３の何れか１項に記載の貯留槽。
【請求項５】
前記異物捕捉部材は、前記排出部に設けられている請求項１〜請求項４の何れか１項に記載の貯留槽。
【請求項６】
前記異物捕捉部材は、前記流入部と前記排出部との間に設けられている請求項１〜請求項５の何れか１項に記載の貯留槽。
【請求項７】
前記異物捕捉部材は、前記排出部に設けられ、前記サイフォン排水管の内径寸法よりも小さい幅寸法を有するスリット孔が形成されている請求項１に記載の貯留槽。
【請求項８】
前記貯留部に接続される通気管と、
前記通気管の前記貯留部側の端部に設けられ、前記通気管へ異物が流入しないように前記異物を捕捉する通気管用異物捕集部材と、
を有する請求項１〜請求項７の何れか１項に記載の貯留槽。
【請求項９】
請求項１〜請求項８の何れか１項に記載の貯留槽と、
前記貯留槽に接続され、排水を前記貯留槽に流出させる水廻り機器と、
前記貯留槽に接続され、前記貯留槽に貯留された排水を流出させるサイフォン排水管と、を有するサイフォン排水システム。
【発明の詳細な説明】
【技術分野】
【０００１】
本発明は、水廻り機器とサイフォン排水管との間に配置されて、水廻り機器からの排水を一時的に貯留する貯留槽に関する。
【背景技術】
【０００２】
近年、従来の勾配排水システムに代わって、サイフォン力を用いた無勾配排水システムが提案されている。このサイフォン排水管を用いた無勾配排水システムは、床スラブに沿って無勾配で配設された無勾配部を有しており、この無勾配部中の排水に下流側へ向かう力を作用させて排水を促進する排水システムである。このサイフォン排水管を用いた無勾配排水システムは、特許文献１に記載されるように、水廻り器具とサイフォン排水管とで構成されており、サイフォン排水管の垂下部をなす竪管にて発生するサイフォン力（負圧力）を利用して、水廻り器具からの排水効率を向上させるシステムである。
【０００３】
このようなサイフォン排水管を用いた無勾配排水システムでは、従来の勾配排水システムと比較して、床スラブ上の横引き管について勾配を必要としないため、横引き管を長くすることができる。一方、従来の勾配排水システムでは勾配が必要であり、所定の床下寸法内に収めようとすると、横枝管は長くても水回り器具から２〜３ｍ程度となり、横引き管を長くしようとすると、床下寸法を大きくしなければならなかった。
【０００４】
このように、サイフォン排水管を用いた無勾配排水システムでは横引き管を長くすることができるため、排水立て管を水回り器具の近傍に設置する必要がなくなり、設計の自由度を高くすることができるというメリットや、集合住宅の場合には、排水立て管を共用部に設置することによりメンテナンスや更新を容易にすることができるというメリットを有している。
【０００５】
サイフォン排水管でサイフォン力を発生させるには、サイフォン排水管内に空気が入らないように水で満流状態とする必要があり、このため、従来の勾配排水システムに用いている排水管に比較してサイフォン排水管の内径は小径となっている。
サイフォン排水管を用いた無勾配排水システムにおいてサイフォン力が発生すると、上流側の排水を吸引するため、内径が小径であっても流速が速いため、従来の勾配排水システム同等の排水を行うことができる。
【０００６】
即ち、サイフォン排水管を用いた無勾配排水システムでは、サイフォン力によって排水を行っている場合には、サイフォン排水管内の流速が、勾配排水システムの排水管に比較して速く、管内に異物が付着し難く、仮に異物が付着しても、速い流速によって異物が流されてしまうため、詰まり難い利点がある。
【０００７】
前述した様に、従来の勾配排水システムに用いている排水管に比較してサイフォン排水管の内径は小径となっているため、ユニットバス、洗濯機等の水廻り機器から多量の水を一度に排水しようとした場合（いわゆるため洗い）、サイフォン排水管内が満流になってサイフォン力が作用するまでの時間（サイフォン起動時間）がかかり、排水の初期段階においては、従来の勾配排水システムに比較して水廻り機器の水位が下がるのが遅かったり、排水口からの溢れが生じた。
【０００８】
この問題を解決するため、水廻り機器とサイフォン排水管との間に、排水を一時的に貯留する貯留槽を設けると共に、水廻り機器と貯留槽との間を、従来通りの配管とすることで、排水の初期段階にて水廻り機器の水を貯留槽へスムーズに排水させることができる（特許文献１参照）。
【特許文献１】特開２００８−７５４２８号公報
【発明の開示】
【発明が解決しようとする課題】
【０００９】
しかしながら、サイフォン排水管に流入する排水の量が少なくサイフォン力が発生しない場合等では、サイフォン排水管内の流速がサイフォン力が発生していた場合に比較して遅くなるため、排水中の異物がサイフォン排水管内に付着し易くなり、サイフォン排水管が詰まる場合が考えられる。この場合には、サイフォン排水管の洗浄等が求められることになる。
【００１０】
本発明は、上記問題を解決すべく成されたもので、サイフォン排水管の詰まりを防止できるサイフォン排水システム用の貯留槽、及びサイフォン排水システムを提供することが目的である。
【課題を解決するための手段】
【００１１】
請求項１に記載の貯留槽は、水廻り機器からの排水を流入させる流入部と、前記排水を一時的に貯留可能な貯留部と、サイフォン排水管に接続され、前記貯留部に一時的に貯留した排水を槽外へ排出するための排出部と、前記サイフォン排水管の上流側に設けられ、排水中の異物を捕捉する異物捕捉部材とを有する。
【００１２】
次に、請求項１に記載の貯留槽の作用を説明する。
請求項１に記載の貯留槽では、水廻り機器からの排水が流入部を介して貯留部に流入し、貯留部に流入した排水は、排出部を介してサイフォン排水管へ排出される。なお、サイフォン排水管が満流状態になるとサイフォン排水管にサイフォン力が発生し、貯留空間の排水を迅速かつ効率的に排水される。
【００１３】
また、請求項１に記載の貯留槽では、サイフォン排水管の上流側に排水中の異物を捕捉する異物捕捉部材が設けられているので、サイフォン排水管に流入する前に排水中の異物を捕捉することが出来、サイフォン排水管に異物が付着したり、サイフォン排水管が詰まることを防止できる。
【００１４】
請求項２に記載の発明は、請求項１に記載の貯留槽において、前記排水を一時的に貯留する貯留部が、仕切壁によって複数の個別貯留部に区画され、前記複数の個別貯留部は、前記流入部、及び前記排出部を備えた第１の個別貯留部と、前記流入部を備えず前記排出部を備えた第２の個別貯留部と、を有し、前記第１の個別貯留部をオーバーフローした排水は、前記仕切壁を超えて前記第２の個別貯留部に流入する。
【００１５】
次に、請求項２に記載の貯留槽の作用を説明する。
第１の個別貯留部には、水廻り機器からの排水が流入部を介して流入し、第１の個別貯留部に流入した排水は、排出部を介してサイフォン排水管へ流入する。排水でサイフォン排水管が満流状態になると、サイフォン排水管にサイフォン力が発生し、迅速かつ効率的に排水することが出来る。
【００１６】
ところで、サイフォン排水管の単位時間当たりの排水量に対して、水廻り機器からの単位時間当たりの排水量が上回ると、第１の個別貯留部の水位が上昇し、最終的には第１の個別貯留部の排水が仕切壁を超えて第２の個別貯留部へ流入する。
第２の個別貯留部に流入した排水は、第２の個別貯留部の排出部を介してサイフォン排水管へ流入する。第２の個別貯留部の水位が上昇し、第２の個別貯留部に連結されたサイフォン排水管が満流状態になると、第２の個別貯留部に連結されたサイフォン排水管にサイフォン力が発生し、第２の個別貯留部の排水を迅速かつ効率的に排出することが出来る。
即ち、請求項２の貯留槽では、複数本のサイフォン排水管を用いて多量の排水を迅速かつ効率的に行うことができるようになる。
【００１７】
ここで、第１の個別貯留部に接続されたサイフォン排水管と、第２の個別貯留部に接続されたサイフォン排水管とで、サイフォン力の発生頻度を比較すると、第２の個別貯留部に接続されたサイフォン排水管の方がサイフォン力の発生頻度が低い。このため、第２の個別貯留部に接続されたサイフォン排水管は、高速で排水が流れる頻度が低く、第１の個別貯留部に接続されたサイフォン排水管に比較して異物が付着し易いと言えるが、本発明によれば、サイフォン排水管の上流側で異物捕捉部材が排水中の異物を捕捉するので、第２の個別貯留部に接続されたサイフォン力の発生頻度が低いサイフォン排水管においても、異物が付着したり、詰まったりすることを防止できる。
なお、第１の個別貯留部は、１つに限らず、複数設けられていても良い。
【００１８】
請求項３に記載の発明は、請求項２に記載の貯留槽において、前記異物捕捉部材は、前記仕切り部材の上部に設けられている。
【００１９】
次に、請求項３に記載の貯留槽の作用を説明する。
請求項３に記載の貯留槽では、第１の個別貯留部の排水がオーバーフローして第２の個別貯留部に流入する際に、仕切り部材の上部に設けた異物捕捉部材によって、排水中の異物が捕捉される。
【００２０】
請求項４に記載の発明は、請求項１〜請求項３の何れか１項に記載の貯留槽において、前記異物捕捉部材は、前記流入部に設けられている。
【００２１】
次に、請求項４に記載の貯留槽の作用を説明する。
請求項４に記載の貯留槽では、水廻り機器からの排水中に含まれる異物が、流入部に設けられた異物捕捉部材によって捕捉される。したがって、排水中に含まれる異物が貯留槽内に流入せず、貯留槽内に溜まることもない。
【００２２】
請求項５に記載の発明は、請求項１〜請求項４の何れか１項に記載の貯留槽において、前記異物捕捉部材は、前記排出部に設けられている。
【００２３】
次に、請求項５に記載の貯留槽の作用を説明する。
請求項５に記載の貯留槽では、水廻り機器からの排水中に含まれる異物が、排出部に設けられた異物捕捉部材によって捕捉される。
【００２４】
請求項６に記載の発明は、請求項１〜請求項５の何れか１項に記載の貯留槽において、前記異物捕捉部材は、前記流入部と前記排出部との間に設けられている。
【００２５】
次に、請求項６に記載の貯留槽の作用を説明する。
請求項６に記載の貯留槽では、水廻り機器からの排水中に含まれる異物が、流入部と排出部との間で異物捕捉部材によって捕捉される。
【００２６】
請求項７に記載の発明は、請求項１に記載の貯留槽において、前記異物捕捉部材は、前記排出部に設けられ、前記サイフォン排水管の内径寸法よりも小さい幅寸法を有するスリット孔が形成されている。
【００２７】
次に、請求項７に記載の貯留槽の作用を説明する。
請求項７に記載の貯留槽では、異物捕捉部材が、サイフォン排水管の内径寸法よりも小さい幅寸法を有するスリット孔を有しているので、サイフォン排水管の内径寸法よりも大きな異物はスリット孔を通過することができない。したがって、サイフォン排水管の内径寸法よりも大きな異物がサイフォン排水管に流入することが無い。
【００２８】
請求項８に記載の発明は、請求項１〜請求項７の何れか１項に記載の貯留槽において、前記貯留部に接続される通気管と、前記通気管の前記貯留部側の端部に設けられ、前記通気管へ異物が流入しないように前記異物を捕捉する通気管用異物捕集部材とを有する。
【００２９】
次に、請求項８に記載の貯留槽の作用を説明する。
貯留部が密閉されている場合には、排水が流れ込む際に貯留部内の空気は押し出され、逆にサイフォン力が起動した後は、貯留部内に空気が流れ込むこととなる。このため、過度の圧力が作用すると、水廻り機器側のトラップ封水切れ、トラップからの水の噴出し等の不具合が起きる懸念があるが、貯留部に通気管を接続することで、貯留部には通気管を介して外部の空気の出入りが行われるので、排水時の空気の出入りによる不具合を防止できる。
ここで、貯留部の排水中の異物が通気管に流入して通気管が詰まると、排水が貯留部に流入した際に貯留部内の空気が水廻り機器側へ流れ、水廻り機器側のトラップ封水切れ、トラップからの水の噴出し等の不具合を生ずる懸念があるが、請求項８に記載の貯留槽では通気管用異物捕集部材が通気管への異物の流入を防止するので、上記不具合を未然に防止することができる。
【００３０】
請求項９に記載のサイフォン排水システムは、請求項１〜請求項８の何れか１項に記載の貯留槽と、前記貯留槽に接続され、排水を前記貯留槽に流出させる水廻り機器と、前記貯留槽に接続され、前記貯留槽に貯留された排水を流出させるサイフォン排水管と、を有する。
【００３１】
次に、請求項９に記載のサイフォン排水システムの作用を説明する。
請求項９に記載のサイフォン排水システムでは、水廻り機器からの排水が流入部を介して貯留槽の貯留部に流入し、貯留部に流入した排水は、排出部を介してサイフォン排水管へ排出される。なお、サイフォン排水管が満流状態になるとサイフォン排水管にサイフォン力が発生し、貯留空間の排水を迅速かつ効率的に排水される。
また、貯留槽には、サイフォン排水管の上流側に排水中の異物を捕捉する異物捕捉部材が設けられているので、サイフォン排水管に流入する前に排水中の異物を捕捉することが出来、サイフォン排水管に異物が付着したり、サイフォン排水管が詰まることを防止できる。
【発明の効果】
【００３２】
以上説明したように本発明の貯留槽、及びサイフォン排水システムによれば、サイフォン排水管に異物を詰まらせることに起因する排水不良を生じさせない、という効果がある。
【発明を実施するための最良の形態】
【００３３】
［第１の実施形態］
以下に、本発明に係る実施形態を図面に基づき説明する。
本実施形態では、本発明の第１の実施形態に係る貯留槽２０を用いたサイフォン排水システムを例に説明する。まず、サイフォン排水システムの全体構成を説明する。図１には、本実施形態に係るサイフォン排水システムの全体構成が概略図にて示されている。
本実施形態に係るサイフォン排水システム１０は、サイフォン力を利用して水廻り器具からの排水を効率よく排出する排水システムである。
【００３４】
本実施形態のサイフォン排水システム１０は、主に複数階で構成された集合住宅などに用いられる。なお、本実施形態では、サイフォン排水システムを、複数階で構成された集合住宅に用いた例について説明する。なお、サイフォン排水システムは、集合住宅に好適に用いられるが、集合住宅以外の戸建て住宅や工場等にも用いることができる。
図１に示すように、サイフォン排水システム１０は、排水を下方へ流す排水立て管１２を備えている。この排水立て管１２は、集合住宅の上下方向（縦方向）に延設され、集合住宅の各階の床スラブ１４を貫いている。
【００３５】
集合住宅の各階の各戸には、複数の水回り器具１６が設けられており、この水回り器具１６には、水回り器具１６から排出される排水を流す排水導入管１８の一端がそれぞれ接続されている。排水導入管１８の他端は、貯留槽２０と接続されている。排水導入管１８は、貯留槽２０側が低くなるように勾配をもって配設されるのが好ましい。
本実施形態の貯留槽２０は、水廻り器具１６からの排水を一時貯留するためのものであり、図１７に示すように上部が蓋４４で塞がれている。
【００３６】
図２に示すように、本実施形態では、貯留槽２０の内部の貯留空間が、２つの仕切壁２２によって３つの長細い個別貯留部２０Ａ、２０Ｂ、２０Ｃに区画されている。
水廻り器具１６からの排水導入管１８−１、１８−２は、個別貯留部２０Ａの槽壁に形成された排水導入管接続部２４−１，２４−２へ連結され、排水導入管１８−３、１８−４は個別貯留部２０Ｃの槽壁に形成された排水導入管接続部２４−３，２４−４へ連結されている（以後、排水導入管接続部２４−１，２４−２，２４−３，２４−４を総称して排水導入管接続部２４と呼ぶ。）。なお、個別貯留部２０Ａと個別貯留部２０Ｃとの間に配置される個別貯留部２０Ｂには排水導入管は接続されていない。
【００３７】
また、貯留槽２０の個別貯留部２０Ａには槽壁の底部近傍に形成されたサイフォン排水管接続部２６−１にサイフォン排水管２８Ａ、個別貯留部２０Ｂには槽壁の底部近傍に形成されたサイフォン排水管接続部２６−２にサイフォン排水管２８Ｂ、個別貯留部２０Ｃには槽壁の底部近傍に形成されたサイフォン排水管接続部２６−３にサイフォン排水管２８Ｃが各々接続されている（以後、サイフォン排水管、サイフォン排水管２８Ｂ、及びサイフォン排水管２８Ｃをまとめてサイフォン排水管２８と呼び、サイフォン排水管接続部２６Ａ、サイフォン排水管接続部２６Ｂ、及びサイフォン排水管接続部２６Ｃをまとめてサイフォン排水管接続部２６と呼ぶ。）。
【００３８】
図１に示すように、サイフォン排水管２８は、床スラブ１４に沿って配設される横引き管２９と、この横引き管２９と連通する竪管３１とを備えて構成されている。横引き管２９は、貯留槽２０と連通され、床スラブ１４上で水平方向に無勾配で配設されている。
【００３９】
横引き管２９と連通する竪管３１は、排水立て管１２に沿って、上下方向（鉛直方向）に配設されている。この竪管３１は、合流部継手３２を介して排水立て管１２と連結されている。合流部継手３２は、竪管３１からの排水を排水立て管１２へ合流させる。
【００４０】
横引き管２９及び竪管３１は、合流部継手３２までは他の排水管と途中で合流することなく、連続した排水管で構成され、排水立て管１２へ排水を導くようになっている。また、横引き管２９及び竪管３１は、排水が満流で流れるように管の内径が設定されている。横引き管２９内の排水には、サイフォン水頭Ｈｓのエネルギーにより、排水方向へ向かうサイフォン力が作用する。
なお、サイフォン排水管２８にサイフォン力を発生させるためには、サイフォン排水管内に空気が入らないように水で満流状態とする必要があり、そのため、サイフォン排水管２８の内径は、排水導入管１８の内径よりも小径とされている。
【００４１】
図３（Ａ）に示すように、本実施形態では、サイフォン排水管接続部２６に異物補足部材としての網状のフィルター３４が設けられている。なお、フィルター３４は、網状のものに限らず、図３（Ｂ）に示すような十字状、図３（Ｃ）に示すような格子状、図３（Ｄ）に示すようなリング３４Ａから両側に直線状の支持部３４Ｂを突出させた形状の物等、排水中の異物を捕捉可能であればこれらの形状に限らない。フィルター３４は、サイフォン排水管２８の内部に排水中の異物が引っ掛からないように、少なくともサイフォン排水管２８よりも上流側で排水中の異物を捕捉する機能を有する必要がある。
【００４２】
（作用）
次に、本実施形態の貯留槽２０の作用を説明する。
個別貯留部２０Ａに水廻り器具１６からの排水が流入すると、排水は個別貯留部２０Ａ、及びサイフォン排水管２８Ａを介して排水立て管１２へと排出される。
【００４３】
ここで、サイフォン排水管２８Ａが満流状態になるとサイフォン排水管２８Ａにサイフォン力が発生し、サイフォン排水管２８Ａが個別貯留部２０Ａの排水を吸引し、迅速かつ効率的に排水が行われる。なお、個別貯留部２０Ａにおいて、排水レベルが上昇すると、サイフォン排水管２８Ａの入口に圧力（個別貯留部２０Ａの水頭）が掛かり、該圧力によって排水がサイフォン排水管２８Ａに押し込まれることになり、サイフォン力の起動が早くなる。したがって、サイフォン力を速く作用させるためには、排水が流入した際に、排水レベルが速く上昇するように、貯留部の形状を設定することが好ましい（例えば、底面積を小さくし、高さを高くする。）。
【００４４】
ところで、水廻り器具１６からの排水に異物（例えば、毛髪、食品の屑等の固形物）が含まれている場合、異物がサイフォン排水管２８へ流入しようとするが、その異物はサイフォン排水管接続部２６のフィルター３４で捕捉されるため、異物がサイフォン排水管２８へ流入することが防止され、異物に起因するサイフォン排水管２８の詰まりを防止することができる。特に、本実施形態のフィルター３４では、フィルター３４の穴よりも大きな固形物がサイフォン排水管２８Ａへ流入することが絶対にない。
【００４５】
また、フィルター３４の大きさは、サイフォン排水管２８の内径程度で良いため、フィルター３４が小型で済む。
なお、フィルター３４に捕捉された異物は、貯留槽２０の上部から取り除くことができる。したがって、貯留槽２０の上の床に点検口を設け、貯留槽２０のフィルター３４に捕捉された異物を除去し易いようにシステムを構成することが好ましい。
ところで、サイフォン排水管２８は、床下に敷設されており、複数本のサイフォン排水管２８の内の何れかが詰まったか、また、どの部分で詰まったかを簡単に把握することは難しい。そして、サイフォン排水管２８に詰りが生じてサイフォン排水管２８の交換を行うような場合には、サイフォン排水管２８が配置・固定されている全ての部位の床を剥す必要がある。
本実施形態の貯留槽２０を用いることでサイフォン排水管２８の詰まりを防止できるので、サイフォン排水管２８の詰まりを直すための床を剥がすような大修理を防げる。
このような貯留槽２０が設けられていないサイフォン排水システム（一つの水廻り機器に対して１本のサイフォン排水管を備えている）では、修理が来るまで使用者は全く排水できなくなるが、このような貯留槽２０を設けたサイフォン排水システムであれば、複数本のサイフォン排水管２８が接続されているため、仮に１本のサイフォン排水管が詰まって排水性が劣ることがあっても、他のサイフォン排水管から排水することが可能であるので、全く排水が出来ずに生活に支障をきたすことは殆ど無くなる。
【００４６】
なお、本実施形態の貯留槽２０の上部開口は図１７に示すように蓋４４で塞がれて内部を密閉されており、図１に想像線（２点鎖線）で示すように、貯留槽２０に通気管５８が接続されている。通気管５８は、個別貯留部２０Ａ、２０Ｂ、２０Ｃ、と各々連通された個別通気部５８Ａ、５８Ｂ、５８Ｃ、及び、個別通気部５８Ａ、５８Ｂ、５８Ｃが合流された１本の合流通気管５８Ｄを含んで構成されている。個別通気部５８Ａ、５８Ｂ、５８Ｃは、貯留槽２０の上部に設けた蓋４４の個別貯留部２０Ａ、２０Ｂ、２０Ｃに対応する位置に各々連通口を有し、蓋４４の上側に配管されている。合流通気管５８Ｄは、一端側が合流部継手３２を介して排水立て管１２と連結されており、他端側が個別通気部５８Ａ、５８Ｂ、５８Ｃ、と連結されている。
本実施形態では、図１７に示すように、個別通気部５８Ａ、５８Ｂ、５８Ｃの個別貯留部側の端部（個別通気部５８Ａ、５８Ｂ、５８Ｃと蓋４４との接続部分）に、サイフォン排水管接続部２６と同様のフィルター３４が取り付けられており、排水中の異物が通気管５８に流入しないように構成されている。
【００４７】
このように貯留槽２０が密閉されている場合には、排水が流れ込む際に内部の空気は押し出され、逆にサイフォン力が起動した後は、内部に空気が流れ込むこととなるが、貯留槽２０の内部は、通気管５８を介して外部の空気の出入りが行われるので、水廻り機器側のトラップの封水切れ、トラップからの水の噴出し等の空気の出入りによる不具合を防止することができる。また、貯留槽２０の上部開口を蓋４４で塞ぐことで、貯留槽２０から臭気が漏れることを防止できる。
なお、本実施形態では、個別通気部５８Ａ、５８Ｂ、５８Ｃの個別貯留部側の端部にフィルター３４が取り付けられているので、排水中の異物が通気管５８に流入することを防止でき、排水が流れ込む際に槽内の空気を通気管５８を介して槽外にスムーズに排出することができる。したがって、排水が貯留部に流入した際に貯留部内の空気が水廻り機器側へ流れることで生ずる、例えば、水廻り機器側のトラップ封水切れ、トラップからの水の噴出しといった不具合を未然に防止することができる。
なお、本実施形態では、個別貯留部２０Ａ〜２０Ｃの各々に、通気管５８の個別通気部５８Ａ〜５８Ｃを接続した構成について説明したが、本発明の通気管は、個別貯留部２０Ａ〜２０Ｃの各々と連通されていればよく、他の構成とすることもできる。
【００４８】
［第２の実施形態］
次に、本発明の第２の実施形態に係る貯留槽２０を説明する。
図示を省略するが、本実施形態では、排水導入管接続部２４に第１の実施形態と同様のフィルター３４が設けられている。
【００４９】
したがって、本実施形態では、水廻り器具１６からの排水に含まれる異物が、貯留槽２０に入る前に捕捉される。このため、異物がサイフォン排水管２８へ流入することが防止され、さらに、異物が貯留槽内に溜まることも防止できる。
また、フィルター３４の大きさは、排水導入管１８の内径程度で良いため、フィルター３４が小型で済む。
【００５０】
［第３の実施形態］
次に、本発明の第３の実施形態に係る貯留槽２０を図４にしたがって説明する。なお、前述した実施形態と同一構成には同一符号を付し、その説明は省略する。
図４に示すように、本実施形態の貯留槽２０では、個別貯留部２０Ａの排水導入管接続部２４−１，２４−２とサイフォン排水管接続部２６Ａとの間に、個別貯留部２０Ａを長手方向に２分するような平らな網状のフィルター３６が槽底部に対して垂直に設けられている。また、個別貯留部２０Ｃの排水導入管接続部２４−３，２４−４とサイフォン排水管接続部２６Ｃとの間にも、個別貯留部２０Ｃを長手方向に２分するように平らな網状のフィルター３６が槽底部に対して垂直に設けられている。
さらに、個別貯留部２０Ｂの長手方向中間部にも、個別貯留部２０Ｂを長手方向に２分するように平らな網状のフィルター３６が槽底部に対して垂直に設けられている。
【００５１】
なお、本実施形態の仕切壁２２は、個別貯留部２０Ｂのフィルター３６からサイフォン排水管接続部側（図面の矢印Ａ方向側）が高くなっており、個別貯留部２０Ａから個別貯留部２０Ｂへオーバーフロー（矢印ＯＦ）する排水、及び個別貯留部２０Ｃから個別貯留部２０Ｂへオーバーフローする排水は、各々仕切壁２２の低い側を超えて個別貯留部２０Ｂに流入するようになっている。
網状のフィルター３６の網目（穴）は、サイフォン排水管２８に異物が詰まらないようにサイフォン排水管２８の内径よりも小さく設定することが好ましい。但し、網の目が細かすぎると、排水の流れの抵抗となり排水が通過し難くなし、また、網自体も詰まり易くなるため、バランスを考慮して網目の大きさを設定することが好ましい。
【００５２】
本実施形態では、例えば、個別貯留部２０Ａに流入する水廻り器具１６からの排水に異物が含まれている場合、異物は槽内に配置したフィルター３６で捕捉されるため、異物がサイフォン排水管２８Ａへ流入することが防止され、異物に起因するサイフォン排水管２８Ａの詰まりを防止することができる。なお、個別貯留部２０Ｃにおいても、同様に排水中の異物がフィルター３６で捕捉されるので、異物に起因するサイフォン排水管２８Ｃの詰まりを防止することができる。
【００５３】
なお、個別貯留部２０Ａでオーバーフローした排水は、仕切壁２２の高さの低い部分を超えて個別貯留部２０Ｂへ流れ込む。このように個別貯留部２０Ｂに流れ込んだ排水は、フィルター３６を介してサイフォン排水管２８Ｂへと流れ込むので、個別貯留部２０Ａからオーバーフローした排水中に異物が含まれていても、その異物は個別貯留部２０Ｂのフィルター３６で捕捉され、サイフォン排水管２８Ｂに流入することを防止できる。
【００５４】
同様に、個別貯留部２０Ｃでオーバーフローした排水は、仕切壁２２の高さの低い部分を超えて個別貯留部２０Ｂへ流れ込み、フィルター３６を介してサイフォン排水管２８Ｂへと流れ込むので、個別貯留部２０Ｃからオーバーフローした排水中に異物が含まれていても、その異物は個別貯留部２０Ｂのフィルター３６で捕捉され、サイフォン排水管２８Ｂに流入することを防止できる。
【００５５】
ここで、個別貯留部２０Ｂには、個別貯留部２０Ａまたは個別貯留部２０Ｃがオーバーフローした際にしか排水が流れ込まない。個別貯留部２０Ａに接続されたサイフォン排水管２８Ａと、個別貯留部２０Ｂに接続されたサイフォン排水管２８Ｂと、個別貯留部２０Ｃに接続されたサイフォン排水管２８Ｃとでサイフォン力の発生頻度を比較すると、個別貯留部２０Ｂに接続されたサイフォン排水管２８Ｂの方が他よりもサイフォン力の発生頻度が低い。このため、個別貯留部２０Ｂに接続されたサイフォン排水管２８Ｂは異物が付着し易いと言えるが、本実施形態では、サイフォン排水管２８Ｂの上流側でフィルター３６が排水中の異物を捕捉するので、サイフォン力の発生頻度が低いサイフォン排水管２８Ｂにおいても、異物が付着したり、詰まったりすることを防止できる。
【００５６】
本実施形態では、フィルター３６に捕捉された異物は、貯留槽２０の上部から取り除くことができる。本実施形態のフィルター３６は、その面積が排水導入管１８の通路面積、及びサイフォン排水管２８の通路面積よりも遥かに大きく設定されているので、目詰まりを生じ難い。
【００５７】
なお、フィルター３６は、図５に示すように、高さ方向中間部に、網目よりも大きな穴３８が形成されていても良い。穴３８の形成されたフィルター３６は、穴３８の形成されていないフィルター３６に比較して排水の通過抵抗を減少させることができる。穴３８はフィルター３６の高さ方向中間部に形成されているので、排水よりも比重の軽い異物はフィルター３６の穴３８よりも上側で捕捉し、排水よりも比重の重い異物はフィルター３６の穴３８よりも下側で捕捉することが可能である。
図３（Ａ）に示すように、本実施形態では、サイフォン排水管接続部２６に異物補足部材としての網状のフィルター３４が設けられている。なお、フィルター３４は、網状のものに限らず、図３（Ｂ）に示すような十字状、図３（Ｃ）に示すような格子状、図３（Ｄ）に示すようなリング３４Ａから両側に直線状の支持部３４Ｂを突出させた形状の物等、排水中の異物を捕捉可能であればこれらの形状に限らない。フィルター３４は、サイフォン排水管２８の内部に排水中の異物が引っ掛からないように、少なくともサイフォン排水管２８よりも上流側で排水中の異物を捕捉する機能を有する必要がある。
【００５８】
なお、本実施形態のフィルター３６は槽底部に対して垂直かつ槽長手方向に対して直角に設けられていたが、本発明はこれに限らず、図６（Ａ）に示すように、フィルター３６を槽底部に対して垂直かつ槽長手方向に対して傾斜させて設けられても良い。これにより、フィルター３６と槽側壁とで成す鋭角部分に異物４０を集め易くなり、異物４０をある程度の塊とすることができ、メンテナンス時等に異物４０を除去し易くなる。
【００５９】
また、本実施形態のフィルター３６は、槽底部に対して垂直に設けられていたが、本発明はこれに限らず、図６（Ａ）、（Ｂ）に示すように、槽底部に対して傾斜させても良い。図６（Ｂ）に示すように、フィルター３６を傾斜させた場合、フィルター３６と槽底部とでなす鋭角部分に異物４０を集め易くなり、異物４０をある程度の塊とすることができ、メンテナンス時等に異物４０を除去し易くなる。
【００６０】
また、本実施形態のフィルター３６は平らであったが、図７（Ａ）乃至図７（Ｄ）に示すように、フィルター３６は中間部で折れ曲がった略Ｖ字形状や、円弧形状としても良い。図７（Ａ），（Ｃ）に示すようにフィルター３６を形成した場合、中央（谷部分）に異物４０を集め易くなる。一方、図７（Ｂ），（Ｄ）に示すように、フィルター３６を形成した場合、両側に異物４０を集め易くなる。何れの場合も異物４０をある程度の塊とすることができ、メンテナンス時等に異物４０を除去し易くなる。
【００６１】
また、本実施形態のように個別処理部に設けたフィルター３６は、管の端部に設ける場合に比較してフィルター面積を大きく取れるため、フィルターの目詰まりが生じにくい。
【００６２】
［第４の実施形態］
次に、本発明の第４の実施形態に係る貯留槽２０を図８（Ａ）にしたがって説明する。なお、前述した実施形態と同一構成には同一符号を付し、その説明は省略する。
本実施形態の貯留槽２０では、個別貯留部２０Ａ，２０Ｂ，２０Ｃの各底部に、複数の棒４２Ａからなるフィルター４２が設けられている。
このため、水廻り器具１６からの排水が排水導入管接続部２４に向けて槽内を流れる際に、排水中の異物をフィルター４２で捕捉することができる。
【００６３】
なお、このフィルター４２は、図８（Ｂ）に示すように、貯留槽２０の上部開口を塞ぐ蓋４４に取り付けても良く、図８（Ｃ）に示すように、槽底部と蓋４４との両方に設けても良い。
また、フィルター４２は、槽底部や蓋４４に一体的に設けても良いが、図９に示すような板部材４２Ｂに複数の棒４２Ａを形成したカートリッジ式のフィルター４２を槽内に配置し、フィルター４２を交換するようにしても良い。
【００６４】
［第５の実施形態］
次に、本発明の第５の実施形態に係る貯留槽２０を図１０にしたがって説明する。なお、前述した実施形態と同一構成には同一符号を付し、その説明は省略する。
図１０に示すように、本実施形態の貯留槽２０では、仕切壁２２の上端に網状のフィルター４６を鉛直に設け、仕切壁２２を超えて個別貯留部２０Ｂへ流入するオーバーフローした排水中の異物を捕捉することができる。なお、本実施形態の仕切壁２２は、高さが一定である。
【００６５】
これにより、個別貯留部２０Ｂへ排水中の異物が流入することが無く、異物に起因するサイフォン排水管２８Ｂの詰まりを防止することができる。
本実施形態では、フィルター４６が水面よりも上に設けられているので、捕捉した異物を除去し易い。
【００６６】
［第６の実施形態］
次に、本発明の第６の実施形態に係る貯留槽２０を図１１、図１２にしたがって説明する。なお、前述した実施形態と同一構成には同一符号を付し、その説明は省略する。
図１１、１２に示すように、本実施形態の貯留槽２０では、個別貯留部２０Ｂの上部開口全面を覆うように平らな網状のフィルター４８を設け、仕切壁２２を超えて個別貯留部２０Ｂへ流入するオーバーフローした排水中の異物を捕捉するようにしている。
【００６７】
これにより、個別貯留部２０Ｂへ排水中の異物が流入することが無く、異物に起因するサイフォン排水管２８Ｂの詰まりを防止することができる。
本実施形態では、フィルター４８の面積を広く取ることができる。
なお、フィルター４８は、図１３に示すように、幅方向中央部が凹むように断面円弧形状に形成することで、フィルター４８の幅方向中央部分に異物を集め易くすることが出来る。
【００６８】
［第７の実施形態］
次に、本発明の第７の実施形態に係る貯留槽２０を図１４にしたがって説明する。なお、前述した実施形態と同一構成には同一符号を付し、その説明は省略する。
図１４に示すように、本実施形態の貯留槽２０では、フィルター４８が個別貯留部２０Ｂの全面を覆うのではなく、仕切壁２２から一定幅部分のみ設けられており、幅方向中央部が凹むように断面円弧形状に形成されている。本実施形態においても、仕切壁２２を超えて個別貯留部２０Ｂへ流入するオーバーフローした排水中の異物を捕捉することができる。
【００６９】
［第８の実施形態］
次に、本発明の第８の実施形態に係る貯留槽２０を図１５にしたがって説明する。なお、前述した実施形態と同一構成には同一符号を付し、その説明は省略する。
【００７０】
本実施形態の貯留槽２０には、図１５に示すようなフィルター５０が設けられている。このフィルター５０は、サイフォン排水管２８Ｂと接続される一端部がサイフォン排水管２８Ｂと同一径とされた円形に形成され、他端部が扁平状に形成された中空の筒状のものである。
【００７１】
フィルター５０の他端部の開口部５２の形状は、スリット形状であるが、その開口面積は、排水の通過抵抗となってサイフォン排水管２８Ｂのサイフォン力が低下しないように、一端部の円形の開口部５４の開口面積と同一開口面積以上に設定されている。また、フィルター５０の他端部の開口部５２は、その長さＬが一端部の円形の開口部５４の内径Ｄよりも大きく、その幅Ｗが一端部の円形の開口部５４の内径Ｄよりも小さく形成されており、サイフォン排水管２８Ｂの内径Ｄよりも大きな固形物がサイフォン排水管２８に流入することを防止できる。
【００７２】
［第９の実施形態］
次に、本発明の第９の実施形態に係る貯留槽２０を図１６にしたがって説明する。なお、前述した実施形態と同一構成には同一符号を付し、その説明は省略する。
図１６に示すように、本実施形態では、個別貯留部２０Ａに個別貯留部２０Ａを幅方向に２分するような網状のフィルター５６が設けられると共に、個別貯留部２０Ｃにも個別貯留部２０Ｃを幅方向に２分するような網状のフィルター５６が設けられている。
【００７３】
本実施形態の貯留槽２０では、排水導入管１８−１、１８−２からの排水は、個別貯留部２０Ａのフィルター５６を通過してからサイフォン排水管２８Ａ、及びサイフォン排水管２８Ｂへ流れ、排水導入管１８−３、１８−４からの排水は、個別貯留部２０Ｃのフィルター５６を通過してからサイフォン排水管２８Ｃ、及びサイフォン排水管２８Ｂへ流れるので、前述した実施形態と同様に、各サイフォン排水管２８に異物が流入することを防止できる。
【００７４】
［その他の実施形態］
上記実施形態では、貯留槽２０が３つの個別貯留部に区画されていたが、４つ以上の個別貯留部に区画されていても良く、貯留槽２０の内部は複数の個別貯留部に区画されていなくても良い。
貯留槽２０を複数の個別貯留部に区画した場合、少なくとも一つの個別貯留槽はサイフォン排水管に接続するための排出部のみを設ける構成とし、その他の個別貯留槽はサイフォン排水管に接続するための排出部と、水廻り機器からの排水を流入させる流入部とを設ける構成とし、その他の個別貯留槽でオーバーフローした排水を、サイフォン排水管に接続するための排出部のみを設けた個別貯留槽に流入させる構成とする。
なお、前記フィルターは、固形物に限らず、油脂を表面に付着させて捕捉することも可能である。
また、貯留槽２０の内部に設けるフィルターとしては、網状や棒状に限らず、例えば、図３（Ａ）〜図３（Ｄ）に示すような形状としても良く、排水中の異物を捕捉可能であれば形状に制限は無い。
【図面の簡単な説明】
【００７５】
【図１】貯留槽を用いたサイフォン排水システムを示す全体構成図である。
【図２】第１の実施形態に係る貯留槽の斜視図である。
【図３】（Ａ）〜（Ｄ）は、フィルターの正面図である。
【図４】第３の実施形態に係る貯留槽の斜視図である。
【図５】第３の実施形態に係る貯留槽に用いるフィルターの正面図である。
【図６】（Ａ）は貯留槽の一部を示す平面図であり、（Ｂ）、（Ｃ）は貯留槽の断面図である。
【図７】（Ａ）〜（Ｄ）は貯留槽の断面図である。
【図８】（Ａ）〜（Ｃ）は第４の実施形態に係る貯留槽の断面図である。
【図９】第４の実施形態に係る貯留槽に用いるフィルターの斜視図である。
【図１０】第５の実施形態に係る貯留槽の斜視図である。
【図１１】第６の実施形態に係る貯留槽の斜視図である。
【図１２】第６の実施形態に係る貯留槽の断面図である。
【図１３】第６の実施形態の変形例に係る貯留槽の断面図である。
【図１４】第７の実施形態に係る貯留槽の断面図である。
【図１５】第８の実施形態に係る貯留槽に設けられるフィルターの斜視図である。
【図１６】第９の実施形態に係る貯留槽の斜視図である。
【図１７】第１の実施形態の変形例に係る貯留槽の断面図である。
【符号の説明】
【００７６】
２０      貯留槽
２０Ａ    個別貯留部
２０Ｂ    個別貯留部
２０Ｃ    個別貯留部
２２      仕切壁（仕切部材）
２４      排水導入管接続部（流入部）
２６      サイフォン排水管接続部（排出部）
２８      サイフォン排水管
３４      フィルター（異物捕捉部材）
３６      フィルター（異物捕捉部材）
４２      フィルター（異物捕捉部材）
４６      フィルター（異物捕捉部材）
４８      フィルター（異物捕捉部材）
５０      フィルター（異物捕捉部材）
５６      フィルター（異物捕捉部材）
５８      通気管
【図１】
2009275438.tif 000003
【図２】
2009275438.tif 000004
【図３】
2009275438.tif 000005
【図４】
2009275438.tif 000006
【図５】
2009275438.tif 000007
【図６】
2009275438.tif 000008
【図７】
2009275438.tif 000009
【図８】
2009275438.tif 000010
【図９】
2009275438.tif 000011
【図１０】
2009275438.tif 000012
【図１１】
2009275438.tif 000013
【図１２】
2009275438.tif 000014
【図１３】
2009275438.tif 000015
【図１４】
2009275438.tif 000016
【図１５】
2009275438.tif 000017
【図１６】
2009275438.tif 000018
【図１７】
2009275438.tif 000019